(57)【特許請求の範囲】
【請求項１】
電源部から電圧が印加されて、トナー像が担持される像担持体上を帯電する帯電部材と、
前記帯電部材に流れる電流を検知する電流検知手段と、
前記電流検知手段によって検知される電流が所定の目標範囲内になるように前記電源部における出力電圧を調整する電圧調整手段と、
温度又は／及び湿度を検知する環境条件検知手段と、
を備え、
前記電圧調整手段は、少なくとも装置の立ち上げ動作がおこなわれるときに、前回の調整がおこなわれたときの出力電圧Ｖ0が所定の閾値ＶAよりも小さい場合には前記出力電圧Ｖ0を今回の調整を開始するときの出力電圧に設定して、前記出力電圧Ｖ0が前記閾値ＶA以上であって前回の調整がおこなわれたときの前記環境条件検知手段の検知結果Ｙ0と今回の調整を開始するときの前記環境条件検知手段の検知結果Ｙ1との差分が所定値Δよりも小さい場合には前記出力電圧Ｖ0を今回の調整を開始するときの出力電圧に設定して、前記出力電圧Ｖ0が前記閾値ＶA以上であって前記検知結果Ｙ0と前記検知結果Ｙ1との差分が所定値Δ以上である場合には前記閾値ＶA以下となる所定電圧ＶBを今回の調整を開始するときの出力電圧に設定して、前記電源部における出力電圧の調整を開始することを特徴とする画像形成装置。
【請求項２】
前記所定電圧ＶBを前記閾値ＶAとしたことを特徴とする請求項１に記載の画像形成装置。
【請求項３】
前記閾値ＶAは、前記電源部の容量から予め定められたことを特徴とする請求項１又は請求項２に記載の画像形成装置。
【発明の詳細な説明】
【技術分野】
【０００１】
この発明は、複写機、プリンタ、ファクシミリ、又は、それらの複合機等の電子写真方式を用いた画像形成装置に関し、特に、感光体ドラム、感光体ベルト等の像担持体を帯電する帯電部材に流れる電流を検知しながら帯電部材に印加される電圧を調整する画像形成装置に関するものである。
【背景技術】
【０００２】
従来から、複写機、プリンタ等の画像形成装置において、感光体ドラム、感光体ベルト等の像担持体を帯電する帯電ローラ等の帯電部材に印加される電圧（帯電バイアス）を適正化することを目的として、帯電部材に流れるＡＣ電流を検知しながらそのＡＣ電流が目標範囲内になるように、電源部から帯電部材に印加される電圧（帯電バイアス）を調整する技術が知られている（例えば、特許文献１参照。）。
【発明の概要】
【発明が解決しようとする課題】
【０００３】
従来の画像形成装置は、帯電部材に印加される電圧を調整する際に、環境変動や経時劣化等によって帯電部材の抵抗値が変化してしまって帯電部材に過電流が流れてしまう不具合を未然に防止することができなかった。これは、従来の電圧調整制御では、帯電部材に電流を流した後にその電流値を検知するように構成されていたためである。そのため、帯電部材に過電流が流れた後にそれを検知して、事後的に過電流が流れるのを阻止するような制御をおこなったとしても、帯電部材に一時的に過電流が流れることによって帯電部材や像担持体にダメージが生じてしまっていた。
【０００４】
この発明は、上述のような課題を解決するためになされたもので、帯電部材に印加される電圧を調整する際に、環境変動や経時劣化等によって帯電部材の抵抗値が変化してしまって帯電部材に過電流が流れてしまう不具合が未然に防止される、画像形成装置を提供することにある。
【課題を解決するための手段】
【０００５】
この発明の請求項１記載の発明にかかる画像形成装置は、電源部から電圧が印加されて、トナー像が担持される像担持体上を帯電する帯電部材と、前記帯電部材に流れる電流を検知する電流検知手段と、前記電流検知手段によって検知される電流が所定の目標範囲内になるように前記電源部における出力電圧を調整する電圧調整手段と、温度又は／及び湿度を検知する環境条件検知手段と、を備え、前記電圧調整手段は、少なくとも装置の立ち上げ動作がおこなわれるときに、前回の調整がおこなわれたときの出力電圧Ｖ0が所定の閾値ＶAよりも小さい場合には前記出力電圧Ｖ0を今回の調整を開始するときの出力電圧に設定して、前記出力電圧Ｖ0が前記閾値ＶA以上であって前回の調整がおこなわれたときの前記環境条件検知手段の検知結果Ｙ0と今回の調整を開始するときの前記環境条件検知手段の検知結果Ｙ1との差分が所定値Δよりも小さい場合には前記出力電圧Ｖ0を今回の調整を開始するときの出力電圧に設定して、前記出力電圧Ｖ0が前記閾値ＶA以上であって前記検知結果Ｙ0と前記検知結果Ｙ1との差分が所定値Δ以上である場合には前記閾値ＶA以下となる所定電圧ＶBを今回の調整を開始するときの出力電圧に設定して、前記電源部における出力電圧の調整を開始するものである。
【０００６】
また、請求項２記載の発明にかかる画像形成装置は、前記請求項１に記載の発明において、前記所定電圧ＶBを前記閾値ＶAとしたものである。
【０００７】
また、請求項３記載の発明にかかる画像形成装置は、前記請求項１又は請求項２に記載の発明において、前記閾値ＶAは、前記電源部の容量から予め定められたものである。
【発明の効果】
【０００９】
本発明は、帯電部材に印加される電圧を調整する際に、前回の調整がおこなわれたときに帯電部材に印加された電圧に基いて、今回の調整を開始するときに帯電部材に印加する電圧を設定して、電圧調整を開始しているため、環境変動や経時劣化等によって帯電部材の抵抗値が変化してしまっても、帯電部材に過電流が流れてしまう不具合が未然に防止される、画像形成装置を提供することができる。
【図面の簡単な説明】
【００１０】
【図１】この発明の実施の形態１における画像形成装置を示す全体構成図である。
【図２】作像部を示す構成図である。
【図３】帯電ローラに印加されるＡＣ調整開始電圧の制御を示すフローチャートである。
【図４】環境変動にともなう帯電ＡＣ電流―帯電ＡＣ電圧特性の変化を示すグラフである。
【図５】この発明の実施の形態２における画像形成装置において、帯電ローラに印加されるＡＣ調整開始電圧の制御を示すフローチャートである。
【発明を実施するための形態】
【００１１】
以下、この発明を実施するための形態について、図面を参照して詳細に説明する。なお、各図中、同一又は相当する部分には同一の符号を付しており、その重複説明は適宜に簡略化ないし省略する。
【００１２】
実施の形態１．
図１〜図４にて、この発明の実施の形態１について詳細に説明する。
まず、図１にて、画像形成装置全体の構成・動作について説明する。
本実施の形態１における画像形成装置１は、複数のプロセスカートリッジ１０Ｙ、１０Ｍ、１０Ｃ、１０ＢＫ（作像部）が中間転写ベルト１７に対向するように並設されたタンデム型のカラー画像形成装置である。
【００１３】
図１において、１は画像形成装置としてのカラー複写機の装置本体、３は原稿を原稿読込部４に搬送する原稿搬送部、４は原稿の画像情報を読み込む原稿読込部、６は入力画像情報に基づいたレーザ光を発する書込み部（露光部）、７は転写紙等の記録媒体Ｐが収納される給紙部、１０Ｙ、１０Ｍ、１０Ｃ、１０ＢＫは各色（イエロー、マゼンタ、シアン、ブラック）に対応した作像部としてのプロセスカートリッジ、１７は複数色のトナー像が重ねて転写される中間転写ベルト、１８は中間転写ベルト１７上に形成されたトナー像を記録媒体Ｐに転写する２次転写ローラ、２０は記録媒体Ｐ上の未定着画像を定着する定着部、２８は各プロセスカートリッジ（作像部）１０Ｙ、１０Ｍ、１０Ｃ、１０ＢＫの現像部に各色のトナーを補給するためのトナー容器、を示す。
【００１４】
ここで、各プロセスカートリッジ１０Ｙ、１０Ｍ、１０Ｃ、１０ＢＫ（作像部）は、それぞれ、像担持体としての感光体ドラム１１、帯電部材としての帯電ローラ１２、現像部１３（現像装置）、クリーニング部１５（クリーニング装置）、潤滑剤供給装置１６（潤滑剤供給部）が一体化されたものである（図２を参照できる。）。そして、各プロセスカートリッジ１０Ｙ、１０Ｍ、１０Ｃ、１０ＢＫは、寿命に達したときに装置本体１に対して交換される。
各プロセスカートリッジ１０Ｙ、１０Ｍ、１０Ｃ、１０ＢＫにおける感光体ドラム１１（像担持体）上では、それぞれ、各色（イエロー、マゼンタ、シアン、ブラック）のトナー像が形成される。
【００１５】
以下、画像形成装置における、通常のカラー画像形成時の動作について説明する。
まず、原稿は、原稿搬送部３の搬送ローラによって、原稿台から搬送されて、原稿読込部４のコンタクトガラス上に載置される。そして、原稿読込部４で、コンタクトガラス上に載置された原稿の画像情報が光学的に読み取られる。
詳しくは、原稿読込部４は、コンタクトガラス上の原稿の画像に対して、照明ランプから発した光を照射しながら走査させる。そして、原稿にて反射した光を、ミラー群及びレンズを介して、カラーセンサに結像する。原稿のカラー画像情報は、カラーセンサにてＲＧＢ（レッド、グリーン、ブルー）の色分解光ごとに読み取られた後に、電気的な画像信号に変換される。さらに、ＲＧＢの色分解画像信号をもとにして画像処理部（不図示である。）で色変換処理、色補正処理、空間周波数補正処理等の処理をおこない、イエロー、マゼンタ、シアン、ブラックのカラー画像情報を得る。
【００１６】
そして、イエロー、マゼンタ、シアン、ブラックの各色の画像情報は、書込み部６に送信される。そして、書込み部６からは、各色の画像情報に基づいたレーザ光（露光光）が、それぞれ、対応するプロセスカートリッジ１０Ｙ、１０Ｍ、１０Ｃ、１０ＢＫの感光体ドラム１１上に向けて照射される。
【００１７】
一方、４つの感光体ドラム１１は、それぞれ、図の時計方向に回転している。そして、まず、感光体ドラム１１の表面は、帯電部材としての帯電ローラ１２との対向位置で、一様に帯電される（帯電工程である。）。こうして、感光体ドラム１１上には、帯電電位が形成される。その後、帯電された感光体ドラム１１表面は、それぞれのレーザ光の照射位置に達する。
書込み部６において、光源から画像信号に対応したレーザ光が各色に対応して射出される。図示は省略するが、レーザ光は、ポリゴンミラーに入射して反射した後に、複数のレンズを透過する。複数のレンズを透過した後のレーザ光は、イエロー、マゼンタ、シアン、ブラックの色成分ごとに別の光路を通過することになる（露光工程である。）。
【００１８】
イエロー成分に対応したレーザ光は、紙面左側から１番目のプロセスカートリッジ１０Ｙの感光体ドラム１１表面に照射される。このとき、イエロー成分のレーザ光は、高速回転するポリゴンミラー（不図示である。）により、感光体ドラム１１の回転軸方向（主走査方向）に走査される。こうして、帯電ローラ１２によって帯電された後の感光体ドラム１１上には、イエロー成分に対応した静電潜像が形成される。
【００１９】
同様に、シアン成分のレーザ光は、紙面左から２番目のプロセスカートリッジ１０Ｃの感光体ドラム１１表面に照射されて、シアン成分の静電潜像が形成される。マゼンタ成分に対応したレーザ光は、紙面左から３番目のプロセスカートリッジ１０Ｍの感光体ドラム１１表面に照射されて、マゼンタ成分に対応した静電潜像が形成される。ブラック成分のレーザ光は、紙面左から４番目（中間転写ベルト１７の走行方向に対して最も下流側である。）のプロセスカートリッジ１０ＢＫ（黒色用作像部）の感光体ドラム１１表面に照射されて、ブラック成分の静電潜像が形成される。
【００２０】
その後、各色の静電潜像が形成された感光体ドラム１１表面は、それぞれ、現像部１３との対向位置に達する。そして、各現像部１３から感光体ドラム１１上に各色のトナーが供給されて、感光体ドラム１１上の潜像が現像される（現像工程である。）。
その後、現像工程後の感光体ドラム１１表面は、それぞれ、中間転写ベルト１７との対向位置に達する。ここで、それぞれの対向位置には、中間転写ベルト１７の内周面に当接するように1次転写ローラ１４が設置されている。そして、１次転写ローラ１４の位置で、中間転写ベルト１７上に、感光体ドラム１１上に形成された各色のトナー像が、順次重ねて転写される（第１転写工程である。）。
【００２１】
そして、第１転写工程後の感光体ドラム１１表面は、それぞれ、クリーニング部１５との対向位置に達する。そして、クリーニング部１５で、感光体ドラム１１上に残存する未転写トナーが回収される（クリーニング工程である。）。
その後、感光体ドラム１１表面は、潤滑剤供給装置１６の位置と除電部（不図示である。）の位置とを順次通過して、感光体ドラム１１における一連の作像プロセスが終了する。
【００２２】
他方、感光体ドラム１１上の各色の画像が重ねて転写された中間転写ベルト１７表面は、図中の矢印方向に走行して、２次転写ローラ１８の位置に達する。そして、２次転写ローラ１８の位置で、記録媒体Ｐ上に中間転写ベルト１７上のフルカラーの画像が２次転写される（第２転写工程である。）。
その後、中間転写ベルト１７表面は、中間転写ベルトクリーニング部（不図示である。）の位置に達する。そして、中間転写ベルト１７上の未転写トナーが中間転写ベルトクリーニング部に回収されて、中間転写ベルト１７上の一連の転写プロセスが完了する。
【００２３】
ここで、２次転写ローラ１８位置の記録媒体Ｐは、給紙部７から搬送ガイド、レジストローラ１９等を経由して搬送されたものである。
詳しくは、記録媒体Ｐを収納する給紙部７から、給紙ローラ８により給送された転写紙Ｐが、搬送ガイドを通過した後に、レジストローラ１９に導かれる。レジストローラ１９に達した記録媒体Ｐは、中間転写ベルト１７上のトナー像とタイミングを合わせて、２次転写ローラ１８の位置に向けて搬送される。
【００２４】
その後、フルカラー画像が転写された記録媒体Ｐは、定着部２０に導かれる。定着部２０では、定着ローラと加圧ローラとのニップにて、カラー画像が記録媒体Ｐ上に定着される。
そして、定着工程後の記録媒体Ｐは、排紙ローラ２９によって装置本体１外に出力画像として排出された後に、排紙部５上にスタックされて、一連の画像形成プロセスが完了する。
【００２５】
次に、図２にて、画像形成装置の作像部について詳述する。
なお、図２は黒色用作像部としてのプロセスカートリッジ１０ＢＫ（モノクロ用のプロセスカートリッジ）を示す構成図である。モノクロ用のプロセスカートリッジ１０ＢＫと、カラー用のプロセスカートリッジ１０Ｙ、１０Ｍ、１０Ｃと、は、作像プロセスに用いられるトナーの色が異なる点を除き、ほぼ同じ構成部材によって構成されているため、カラー用のプロセスカートリッジ１０Ｙ、１０Ｍ、１０Ｃの図示と説明は適宜省略する。
【００２６】
図２に示すように、プロセスカートリッジ１０ＢＫには、像担持体としての感光体ドラム１１と、感光体ドラム１１を帯電する帯電部材としての帯電ローラ１２と、感光体ドラム１１上に形成される静電潜像を現像する現像部１３と、感光体ドラム１１上の未転写トナーを回収するクリーニング部１５と、感光体ドラム１１上に潤滑剤を供給する潤滑剤供給装置１６と、が、ケースに一体的に収納されている。
【００２７】
ここで、像担持体としての感光体ドラム１１は、負帯電性の有機感光体であって、ドラム状導電性支持体上に感光層等を設けたものである。
図示は省略するが、感光体ドラム１１は、基層としての導電性支持体上に、絶縁層である下引き層、感光層としての電荷発生層及び電荷輸送層、保護層（表面層）が順次積層されている。
感光体ドラム１１の導電性支持体（基層）としては、体積抵抗が１０10Ωｃｍ以下の導電性材料を用いることができる。
【００２８】
帯電ローラ１２（帯電部材）は、導電性芯金の外周に中抵抗の弾性層を被覆してなるローラ部材であって、潤滑剤供給装置１６に対して感光体ドラム１１の回転方向下流側に配設されている。また、帯電ローラ１２（帯電部材）は、潤滑剤供給装置１６によって感光体ドラム１１上に供給された潤滑剤が付着しないように、感光体ドラム１１に対して非接触で対向するように配設されている。
そして、帯電ローラ１２には電源部としてのＡＣ電源部４１から所定の電圧（帯電バイアス）が印加されて、これにより対向する感光体ドラム１１の表面を一様に帯電する。
【００２９】
現像部１３（現像装置）は、主として、感光体ドラム１１に対向する現像ローラ１３ａと、現像ローラ１３ａに対向する第１搬送スクリュ１３ｂ１と、仕切部材を介して第１搬送スクリュ１３ｂ１に対向する第２搬送スクリュ１３ｂ２と、現像ローラ１３ａに対向するドクターブレード１３ｃと、で構成される。現像ローラ１３ａは、内部に固設されてローラ周面に磁極を形成するマグネットと、マグネットの周囲を回転するスリーブと、で構成される。マグネットによって現像ローラ１３ａ（スリーブ）上に複数の磁極が形成されて、現像ローラ１３ａ上に現像剤が担持されることになる。現像部１３内には、キャリアとトナーとからなる２成分現像剤が収容されている。
【００３０】
クリーニング部１５は、潤滑剤供給装置１６に対して感光体ドラム１１の回転方向上流側に配設されている。クリーニング部１５には、感光体ドラム１１に当接するクリーニングブレード１５ａ、クリーニング部１５内に回収されたトナーを廃トナーとして廃トナー回収容器（不図示である。）に向けて搬送する搬送コイル１５ｂ、等が設置されている。クリーニングブレード１５ａは、ウレタンゴム等のゴム材料からなり、感光体ドラム１１表面に所定角度かつ所定圧力で当接している。これにより、感光体ドラム１１上に付着する未転写トナー等の付着物が機械的に掻き取られてクリーニング部１５内に回収されることになる。ここで、感光体ドラム１１上に付着する付着物としては、未転写トナーの他に、記録媒体Ｐ（用紙）から生じる紙粉、帯電ローラ１２ａによる放電時に感光体ドラム１１上に生じる放電生成物、トナーに添加されている添加剤、等がある。
【００３１】
潤滑剤供給装置１６は、固形潤滑剤１６ｂ、感光体ドラム１１と固形潤滑剤１６ｂとに摺接する潤滑剤供給ローラ１６ａ（ブラシ状ローラ）、固形潤滑剤１６ｂを潤滑剤供給ローラ１６ａに向けて付勢する圧縮スプリング１６ｃ、潤滑剤供給ローラ１６ａによって感光体ドラム１１上に供給された潤滑剤を薄層化するブレード状部材１６ｄ、等で構成される。なお、ブレード状部材１６ｄは、潤滑剤供給ローラ１６ａに対して感光体ドラム１１の回転方向下流側の位置で感光体ドラム１１に対してカウンタ方向に当接するように構成されている。
このように構成された潤滑剤供給装置１６によって、感光体ドラム１１上に薄層化された潤滑剤が供給される。
【００３２】
図２にて、先に述べた作像プロセスをさらに詳しく説明する。
現像ローラ１３ａは、図２中の矢印方向（反時計方向）に回転している。現像部１３内の現像剤は、間に仕切部材を介在するように配設された第１搬送スクリュ１３ｂ１及び第２搬送スクリュ１３ｂ２の回転によって、不図示のトナー補給部によってトナー容器２８から補給されたトナーとともに撹拌混合されながら長手方向に循環する（図２の紙面垂直方向である。）。
【００３３】
そして、摩擦帯電してキャリアに吸着したトナーは、キャリアとともに現像ローラ１３ａ上に担持される。現像ローラ１３ａ上に担持された現像剤は、その後にドクターブレード１３ｃの位置に達する。そして、現像ローラ１３ａ上の現像剤は、ドクターブレード１３ｃの位置で適量に調整された後に、感光体ドラム１１との対向位置（現像領域である。）に達する。
【００３４】
その後、現像領域において、現像剤中のトナーが、感光体ドラム１１表面に形成された静電潜像に付着する。詳しくは、レーザ光Ｌが照射された画像部の潜像電位（露光電位）と、現像ローラ１３ａに印加された現像バイアスとの、電位差（現像ポテンシャル）によって形成される電界によって、トナーが潜像に付着する（トナー像が形成される）。
【００３５】
その後、現像工程にて感光体ドラム１１に付着したトナーは、そのほとんどが中間転写ベルト１７上に転写される。そして、感光体ドラム１１上に残存した未転写のトナーが、クリーニングブレード１５ａによってクリーニング部１５内に回収される。
【００３６】
ここで、図示は省略するが、装置本体１に設けられたトナー補給部は、交換自在に構成されたボトル状のトナー容器２８と、トナー容器２８を保持・回転駆動するとともに現像部１３に新品トナーを補給するトナーホッパ部と、で構成されている。また、トナー容器２８内には、新品のトナー（イエロー、マゼンタ、シアン、ブラックのいずれかである。）が収容されている。また、トナー容器２８（トナーボトル）の内周面には、螺旋状の突起が形成されている。
【００３７】
なお、トナー容器２８内の新品トナーは、現像部１３内のトナー（既設のトナーである。）の消費にともない、トナー補給口から現像部１３内に適宜に補給されるものである。図示は省略するが、現像部１３内のトナーの消費は、感光体ドラム１１に対向する反射型フォトセンサと、現像部１３の第２搬送スクリュ２３ｂ２の下方に設置された磁気センサと、によって間接的又は直接的に検知される。
【００３８】
以下、本実施の形態１において特徴的な、画像形成装置１の構成・動作について詳述する。
図２を参照して、電源部としてのＡＣ電源部４１は、電圧調整手段としての制御部４０による制御によって、感光体ドラム１１（像担持体）を帯電する帯電ローラ１２（帯電部材）に電圧（ＡＣ電圧）を印加する。ここで、装置１には、帯電ローラ１２に流れるＡＣ電流（電流）の値を検知する電流検知手段としてのＡＣ電流検知部４２が設置されている。そして、電圧調整手段としての制御部４０によって、ＡＣ電流検知部４２（電流検知手段）によって検知されるＡＣ電流が所定の目標範囲内になるようにＡＣ電源部４１における出力電圧（帯電ＡＣ出力電圧）が調整される（帯電ローラ１２に印加されるＡＣ電圧が調整される）。すなわち、帯電ローラ１２は、ＡＣ電流検知部４２による検知結果に基いたフィードバック制御によって定電圧制御されることになる。そして、帯電ローラ１２と感光体ドラム１１との微小ギャップ間で生じる放電によって、感光体ドラム１１の表面が帯電されることになる。
なお、本実施の形態１では、ＡＣ電流検知部４２によって帯電ローラ１２に流れるＡＣ電流（電流）の値を直接的に検知するように構成したが、ＡＣ電流検知部４２によって帯電ローラ１２に流れるＡＣ電流（電流）の値を感光体ドラム１１を介して間接的に検知するように構成することもできる。
【００３９】
ここで、本実施の形態１では、画像形成装置１において立ち上げ動作（ウォーミングアップ動作）がおこなわれるときに、前回の調整がおこなわれたときの出力電圧Ｖ0（前回の調整制御において最終的に調整された出力電圧である。）が所定の閾値ＶAよりも小さい場合には、その出力電圧Ｖ0を今回の調整を開始するときの出力電圧（帯電ＡＣ出力調整開始電圧）に設定する。これに対して、前回の調整がおこなわれたときの出力電圧Ｖ0が上述した閾値ＶA以上である場合には、その閾値ＶA以下となる所定電圧ＶBを今回の調整を開始するときの出力電圧（帯電ＡＣ出力調整開始電圧）に設定する。そして、これらの出力電圧（帯電ＡＣ出力調整開始電圧）を用いて、制御部４０によってＡＣ電源部４１における出力電圧の調整を開始する。そして、それ以降、装置の立ち上げ動作が終了した後は、制御部４０によって、ＡＣ電流検知部４２によって検知されるＡＣ電流が所定の目標範囲内になるようにＡＣ電源部４１における出力電圧（帯電ＡＣ出力電圧）が調整されることになる。
【００４０】
具体的に、図３に示すフローチャートを参照して、ユーザーの操作によって、画像形成装置１の主電源（メインスイッチ）がオンされたり、待機モード（低電力を供給して装置１の消費電力を抑えつつ、装置１の比較的迅速な立ち上げを可能にする制御モードである。）から通常モードへ復帰されたりすると、まず、前回の出力電圧Ｖ0（前回の調整制御において最終的に調整されたＡＣ電源部４１の出力電圧である。）が所定の閾値ＶAよりも小さいかが判別される（ステップＳ１）。すなわち、装置の立ち上げ時において、制御部４０からＡＣ電源部４１に出力要求があった時点で、帯電ローラ１２に過電流が流れないか（閾値ＶAを超えないか）が判断される。
ここで、閾値ＶAは、ＡＣ電源部４１の容量（電源容量）から予め定められた値であって、ＡＣ電源部４１の容量を超える過大な電流が流れることによる帯電ローラ１２や感光体ドラム１１やＡＣ電源部４１への負荷を低減するためのものである。
【００４１】
そして、ステップＳ１にて、前回の出力電圧Ｖ0が閾値ＶAよりも小さいものと判別された場合には、今回の調整を開始するときの出力電圧（帯電ＡＣ出力調整開始電圧）として前回の出力電圧Ｖ0の値が設定される（ステップＳ２）。
これに対して、ステップＳ１にて、前回の出力電圧Ｖ0が閾値ＶAよりも小さくないものと判別された場合には、今回の調整を開始するときの出力電圧（帯電ＡＣ出力調整開始電圧）として所定電圧ＶB（閾値ＶA以下となる電圧である。）の値が設定される（ステップＳ３）。すなわち、装置の立ち上げ時において、制御部４０からＡＣ電源部４１に出力要求があった時点で、帯電ローラ１２に過電流が流れるものと判断された場合に、過電流が生じないように閾値ＶA以下の所定電圧ＶBが帯電ＡＣ出力調整開始電圧として設定される。
なお、上述した所定電圧ＶBとして、閾値ＶAを用いることもできる。
【００４２】
このような制御をおこなうことにより、帯電ローラ１２に印加される電圧を調整する際に、環境変動や帯電ローラ１２の経時劣化や交換等によって帯電ローラ１２の抵抗値が変化してしまっても、帯電ローラ１２に過電流が流れて帯電ローラ１２や感光体ドラム１１やＡＣ電源部４１にダメージが生じてしまう不具合を未然に防止することができる。
さらに、上述した制御は、前回の出力電圧Ｖ0が閾値ＶAよりも小さいものと判別された場合に、今回の調整を開始するときの出力電圧（帯電ＡＣ出力調整開始電圧）として前回の出力電圧Ｖ0の値を設定して、帯電ローラ１２に印加される電圧の調整を開始するので、その調整にかかる時間（調整時間）を短縮化することができる。したがって、ユーザーに対する「お待たせ時間」を低減することができる。
【００４３】
図４は、環境変動にともなう帯電ＡＣ電流―帯電ＡＣ電圧特性の変化を示すグラフであって、上述した効果の一部を説明するためのものである。
図４に示すように、帯電ＡＣ電流―帯電ＡＣ電圧特性がグラフＱ０の状態で帯電ＡＣ出力電圧を図中のＸ点に対応する値となるように決定した後に、環境変動等により帯電ローラ１２の抵抗値が変化して、帯電ＡＣ電流―帯電ＡＣ電圧特性がグラフＱ１の状態に変わってしまった場合、上述したＸ点で決定した帯電ＡＣ出力電圧を帯電ＡＣ出力調整開始電圧として設定して調整制御を開始してしまうと、図中の○印で示す限界電流値を超えた過電流が帯電ローラ１２に流れてしまうことになる。
これに対して、本実施の形態１における制御をおこなうことで、環境変動等により帯電ローラ１２の抵抗値が変化して、帯電ＡＣ電流―帯電ＡＣ電圧特性がグラフＱ０の状態からグラフＱ１の状態に変わってしまった場合であっても、グラフＱ０の状態で決定された帯電ＡＣ出力電圧（図中のＸ点に対応する出力電圧であって、前回の出力電圧Ｖ0である。）が閾値ＶA以上であると判断されて、閾値ＶA以下の所定電圧所定電圧ＶB（ここでは、閾値ＶAとしている。）を帯電ＡＣ出力調整開始電圧として設定して調整制御を開始するため、図中Ｘ点から矢印方向に最終的に移動した●印に示すように限界電流値を超えた過電流が帯電ローラ１２に流れてしまう不具合を抑止することができる。
【００４４】
なお、本実施の形態１では、前回の調整がおこなわれたときに帯電ローラ１２に印加された電圧Ｖ0に基いて今回の調整を開始するときに帯電ローラ１２に印加する電圧（開始電圧）を設定する制御を、装置の立ち上げ時におこなった。
しかし、このような制御の実行は、装置の立ち上げ時に限定されることなく、画像形成動作中や非画像形成動作においても帯電ローラ１２に印加される電圧を調整する動作がおこなわれる場合には、その調整動作に合わせて適宜おこなうことができる。
【００４５】
以上説明したように、本実施の形態１によれば、帯電ローラ１２（帯電部材）に印加される電圧を調整する際に、前回の調整がおこなわれたときに帯電ローラ１２に印加された電圧Ｖ0に基いて、今回の調整を開始するときに帯電ローラ１２に印加する電圧（開始電圧）を設定して、電圧調整を開始しているため、環境変動や経時劣化等によって帯電ローラ１２の抵抗値が変化してしまっても、帯電ローラ１２に過電流が流れてしまう不具合を未然に防止することができる。
【００４６】
実施の形態２．
図５にて、この発明の実施の形態２について詳細に説明する。
図５は、実施の形態２における画像形成装置において帯電ローラ１２に印加されるＡＣ調整開始電圧の制御を示すフローチャートであって、前記実施の形態１における図３に対応する図である。
本実施の形態２における画像形成装置は、前回の調整がおこなわれたときに帯電ローラ１２に印加された電圧と、環境条件検知手段４３によって検知される検知結果と、に基いて今回の調整を開始するときに帯電ローラ１２に印加する電圧を設定している点が、前記実施の形態１のものとは相違する。
【００４７】
本実施の形態２における画像形成装置１も、前記実施の形態１のものと同様に、感光体ドラム１１に対して非接触で対向する帯電ローラ１２が、ＡＣ電流検知部４２による検知結果に基いたフィードバック制御によって定電圧制御されるように構成されている。そして、装置１には、前記実施の形態１のものと同様に、電流検知手段としてのＡＣ電流検知部４２、電圧調整手段としての制御部４０、等が設置されている。
ここで、本実施の形態２における画像形成装置１では、装置内の温度や湿度を検知する環境条件検知手段としての温湿度センサ４３（図２を参照できる）を用いた帯電電圧制御がおこなわれる。
【００４８】
そして、本実施の形態２では、画像形成装置１において立ち上げ動作がおこなわれるときに、前回の調整がおこなわれたときの出力電圧Ｖ0（前回の調整制御において最終的に調整された出力電圧である。）が所定の閾値ＶAよりも小さい場合には、その出力電圧Ｖ0を今回の調整を開始するときの出力電圧（帯電ＡＣ出力調整開始電圧）に設定する。また、前回の調整がおこなわれたときの出力電圧Ｖ0が上述した閾値ＶA以上である場合であって、前回の調整がおこなわれたときの温湿度センサ４３の検知結果Ｙ0と今回の調整を開始するときの温湿度センサ４３の検知結果Ｙ1との差分が所定値Δよりも小さい場合にも、前回の出力電圧Ｖ0を今回の調整を開始するときの出力電圧（帯電ＡＣ出力調整開始電圧）に設定する。これに対して、前回の調整がおこなわれたときの出力電圧Ｖ0が上述した閾値ＶA以上である場合であって、前回の調整がおこなわれたときの温湿度センサ４３の検知結果Ｙ0と今回の調整を開始するときの温湿度センサ４３の検知結果Ｙ1との差分が所定値Δ以上である場合には、閾値ＶA以下となる所定電圧ＶBを今回の調整を開始するときの出力電圧（帯電ＡＣ出力調整開始電圧）に設定する。そして、これらの出力電圧（帯電ＡＣ出力調整開始電圧）を用いて、制御部４０によってＡＣ電源部４１における出力電圧の調整を開始する。
【００４９】
具体的に、図５に示すフローチャートを参照して、ユーザーの操作によって、画像形成装置１の主電源（メインスイッチ）がオンされたり、待機モードから通常モードへ復帰されたりすると、まず、前回の出力電圧Ｖ0（前回の調整制御において最終的に調整されたＡＣ電源部４１の出力電圧である。）が所定の閾値ＶAよりも小さいかが判別される（ステップＳ１１）。
ここで、閾値ＶAは、前記実施の形態１のものと同様に、ＡＣ電源部４１の容量（電源容量）から予め定められた値である。
【００５０】
そして、ステップＳ１１にて、前回の出力電圧Ｖ0が閾値ＶAよりも小さいものと判別された場合には、今回の調整を開始するときの出力電圧（帯電ＡＣ出力調整開始電圧）として前回の出力電圧Ｖ0の値が設定される（ステップＳ１２）。
これに対して、ステップＳ１１にて、前回の出力電圧Ｖ0が閾値ＶAよりも小さくないものと判別された場合には、さらに前回の調整がおこなわれたときの温湿度センサ４３の検知結果Ｙ0と今回の調整を開始するときの温湿度センサ４３の検知結果Ｙ1との差分が所定値Δよりも小さいかが判別される（ステップＳ１３）。その結果、前回の検知結果Ｙ0と今回の検知結果Ｙ1との差分が所定値Δよりも小さいものと判別された場合には、帯電ローラ１２の抵抗値の変化が比較的小さくてそれほど過大な電流が生じにくい状態であるものとして、今回の調整を開始するときの出力電圧（帯電ＡＣ出力調整開始電圧）として前回の出力電圧Ｖ0の値が設定される（ステップＳ１４）。
これに対して、ステップＳ１３にて、前回の検知結果Ｙ0と今回の検知結果Ｙ1との差分が所定値Δよりも小さくないものと判別された場合には、帯電ローラ１２の抵抗値の変化が比較的大きくて過大な電流が生じやすい状態であるものとして、今回の調整を開始するときの出力電圧（帯電ＡＣ出力調整開始電圧）として所定電圧ＶB（閾値ＶA以下となる電圧である。）の値が設定される（ステップＳ１５）。
なお、上述した所定電圧ＶBとして、閾値ＶAを用いることもできる。
【００５１】
このような制御をおこなうことにより、帯電ローラ１２に印加される電圧を調整する際に、環境変動や帯電ローラ１２の経時劣化や交換等によって帯電ローラ１２の抵抗値が変化してしまっても、帯電ローラ１２に過電流が流れて帯電ローラ１２や感光体ドラム１１やＡＣ電源部４１にダメージが生じてしまう不具合を未然に防止することができる。特に、本実施の形態２では、環境変動によって帯電ローラ１２に過電流が流れる不具合を抑止することを重視した制御になっている。
さらに、上述した制御は、前回の出力電圧Ｖ0が閾値ＶA以上であるものと判別された場合であっても、環境変動がそれほど大きくないと判別された場合には、今回の調整を開始するときの出力電圧（帯電ＡＣ出力調整開始電圧）として前回の出力電圧Ｖ0の値を設定して、帯電ローラ１２に印加される電圧の調整を開始するので、その調整にかかる時間（調整時間）を短縮化することができる。したがって、ユーザーに対する「お待たせ時間」を低減することができる。
【００５２】
なお、温湿度センサ４３（環境条件検知手段）によって「温度」を検知する場合には、上述した制御における「所定値Δ」として１０℃程度を設定することが好ましい。
また、温湿度センサ４３（環境条件検知手段）によって「相対湿度」を検知する場合には、上述した制御における「所定値Δ」として３０％程度を設定することが好ましい。
また、温湿度センサ４３（環境条件検知手段）によって「絶対湿度」を検知する場合には、上述した制御における「所定値Δ」として１０ｍｇ／ｍ3程度を設定することが好ましい。
なお、温湿度センサ４３（環境条件検知手段）によって検知して上述した制御に反映する環境条件は、「温度」、「湿度（相対湿度又は絶対湿度）」のうち、一方のみであっても、両方であっても、上述した効果を得ることができる。
【００５３】
以上説明したように、本実施の形態２によれば、帯電ローラ１２（帯電部材）に印加される電圧を調整する際に、前回の調整がおこなわれたときに帯電ローラ１２に印加された電圧Ｖ0に基いて、さらに温湿度センサ４３（環境条件検知手段）によって検知される検知結果に基いて、今回の調整を開始するときに帯電ローラ１２に印加する電圧（開始電圧）を設定して、電圧調整を開始しているため、環境変動や経時劣化等によって帯電ローラ１２の抵抗値が変化してしまっても、帯電ローラ１２に過電流が流れてしまう不具合を未然に防止することができる。
【００５４】
なお、前記各実施の形態では、作像部における各部（感光体ドラム１１、帯電ローラ１２、現像部１３、クリーニング部１５、潤滑剤供給装置１６である。）を一体化してプロセスカートリッジ１０Ｙ、１０Ｍ、１０Ｃ、１０ＢＫを構成して、作像部のコンパクト化とメンテナンス作業性の向上とを図っている。
これに対して、作像部における各部１１、１２、１３、１５、１６をプロセスカートリッジの構成部材とせずに、それぞれ単体で装置本体１に交換自在に設置されるように構成することもできる。このような場合にも、前記各実施の形態と同様の効果を得ることができる。
また、前記各実施の形態では、２成分現像剤を用いる２成分現像方式の現像部１３が搭載された画像形成装置に対して本発明を適用したが、１成分現像剤を用いる１成分現像方式の現像部１３が搭載された画像形成装置に対しても当然に本発明を適用することができる。
【００５５】
また、前記各実施の形態では、中間転写ベルト１７を用いたタンデム型のカラー画像形成装置に対して本発明を適用した。これに対して、転写搬送ベルトを用いたタンデム型のカラー画像形成装置（転写搬送ベルトに対向するように並設された複数の感光体ドラム上のトナー像を、転写搬送ベルトによって搬送される記録媒体上に重ねて転写する装置である。）や、モノクロ画像形成装置等、その他の画像形成装置に対しても、本発明を適用することができる。そして、このような場合であっても、前記各実施の形態と同様の効果を得ることができる。
【００５６】
なお、本発明が前記各実施の形態に限定されず、本発明の技術思想の範囲内において、前記各実施の形態の中で示唆した以外にも、前記各実施の形態は適宜変更され得ることは明らかである。また、前記構成部材の数、位置、形状等は前記各実施の形態に限定されず、本発明を実施する上で好適な数、位置、形状等にすることができる。
【符号の説明】
【００５７】
１  画像形成装置本体（装置本体）、
１１  感光体ドラム（像担持体）、
１２  帯電ローラ（帯電部材）、
４０  制御部（電圧調整手段）、
４１  ＡＣ電源部（電源部）、
４２  ＡＣ電流検知部（電流検知手段）、
４３  温湿度センサ（環境条件検知手段）。
【先行技術文献】
【特許文献】
【００５８】
【特許文献１】特開２００８−４０１１２号公報
【図１】
0005618074.tif 000002
【図２】
0005618074.tif 000003
【図３】
0005618074.tif 000004
【図４】
0005618074.tif 000005
【図５】
0005618074.tif 000006